(57)【特許請求の範囲】
【請求項１】
下顎側の石膏歯列模型を着脱自在に装着する下顎フレームの後端に一対の支柱を離間対向状に立設し、かつ上顎側の石膏歯列模型を着脱自在に装着する上顎フレームの回動軸を、各支柱の背面側から後方に向けて斜設した支承面と、当該各支柱の側面部位に設けた凹溝との間で支持するように構成した咬合器において、上記回動軸を凹溝側に向けて押圧する弾持部材を各支柱毎にそれぞれ装着し、支承面に沿う回動軸の後方への移動を弾持部材の付勢力に抗して許すと共に、上記回動軸の嵌入面を外周方向に凹設した調整ピンを、支柱の頂部から前記凹溝を貫通して直交状に挿通し、上記調整ピンの嵌入面を凹溝に合致させた際に、これに進入する回動軸の前方への移動を可能としたことを特徴とする咬合器。
【発明の詳細な説明】
【０００１】
【発明の属する技術分野】
本発明は、歯冠修復物あるいは義歯の加工形成に使用される咬合器に係り、特に、下顎フレームに装着した石膏歯列模型と、上顎フレームに装着した石膏歯列模型との咬合調整に際し、上顎フレームを後方移動のみならず前方への移動をも可能として、患者毎に異なる咬合動作を可及的に近似させることができ、作業効率を向上させつつ、精度の高い咬合調整を容易に行うことができる咬合器に関するものである。
【０００２】
【従来の技術】
従来、歯冠修復物、義歯等の加工形成に使用される石膏歯列模型は、患者の上顎または下顎の印象に流動石膏を流し込んで成形され、当該患者の治療歯部位を含む石膏歯列模型とこれに対合する石膏歯列模型を、一対をなす咬合器の下顎および上顎フレームに着脱自在に固定するようになっている。
【０００３】
そして歯冠修復物、義歯の加工形成を実際に行う際には、まず現状の上下石膏歯列模型の咬合状態を確認し、次いで治療歯部位の石膏歯列部分を精密ノコで切除した後に、離脱した治療歯部位の石膏歯列部分に所要の修復物の被冠あるいは義歯の形成を施し、これを再び装着した治療歯部位を含む石膏歯列模型と対合する石膏歯列模型との咬合が最良状態となるように、治療歯部位における修正、加工を適宜に繰り返し行う方法が一般に採用されている。
【０００４】
しかしながら上述のような咬合調整に用いる従来の咬合器では、下顎側の石膏歯列模型を装着する下顎フレームに対し、上顎側の石膏歯列模型を装着する上顎フレームを回動軸を介して上下動自在に固定する構成であるため、食物を咬む場合おいて患者毎に微妙に異なる下顎の前後進運動を含む複雑な咬合運動に適合し得ないものであった。
【０００５】
そこで近年では、患者の実際の咬合運動に近似するように上顎フレームを軸支する回動軸を下顎フレームに対して適宜に遊動可能とした構成も提案されているが、このものは基準定位置から回動軸を後方にのみ移動する構成、すなわち下顎フレームに対して上顎フレームを後方に相対移動させるだけのものであるため、上顎フレームを前方に移動する必要が生じた場合には、上顎側の石膏歯列模型の固定位置を前方にずらして上顎フレームに再装着した後に咬合調整を行う、という煩わしい調整作業を余儀なくされ、咬合器を用いて歯冠修復物、義歯の加工形成を行う矯正および観察が非常に面倒となる、という欠点を有するものであった。
【０００６】
【本発明が解決しようとする課題】
本発明は、上記の如き実状に鑑み咬合器の機能および作業性の向上を目指すその研究、開発過程で創案されたものであって、その目的とするところは、上顎フレームを軸支する回動軸を下顎フレームに対して適宜に遊動可能とするものでありながら、上顎フレームを前方に移動する必要が生じた場合にも、上顎側の石膏歯列模型を前方にずらすような作業を要することなく、簡単かつ柔軟に上顎フレームの前方移動を行うことができ、作業者の負担を最小限に抑えて作業効率の向上と高い精度を維持することができる咬合器を提供しようとするものである。
【０００７】
【課題を解決するための手段】
課題を解決するため、本発明が採用した技術的手段は、下顎側の石膏歯列模型を着脱自在に装着する下顎フレームの後端に一対の支柱を離間対向状に立設し、かつ上顎側の石膏歯列模型を着脱自在に装着する上顎フレームの回動軸を、各支柱の背面側から後方に向けて斜設した支承面と、当該各支柱の側面部位に設けた凹溝との間で支持するように構成した咬合器において、上記回動軸を凹溝側に向けて押圧する弾持部材を各支柱毎にそれぞれ装着し、支承面に沿う回動軸の後方への移動を弾持部材の付勢力に抗して許すと共に、上記回動軸の嵌入面を外周方向に凹設した調整ピンを、支柱の頂部から前記凹溝を貫通して直交状に挿通し、上記調整ピンの嵌入面を凹溝に合致させた際に、これに進入する回動軸の前方への移動を可能としたことを特徴とするものである。
【０００８】
【発明の実施の形態】
本発明を図面に示した一実施例に基づいて詳細に説明する。
図１および２において、１は上下の石膏歯列模型２、３を着脱自在に装着する咬合器であって、該咬合器１は、下石膏歯列模型３の支持台として兼用される下顎フレーム４に一対の支柱５、６を離間対向状に立設し、かつ後方に延出する連結フレーム７を当該支柱５、６間に一体に跨設すると共に、上記各支柱５、６の頂部近傍の側面部位には凹溝８がそれぞれ設けられており、上顎フレーム９の後端側を軸支する回動軸１０を凹溝８、８に嵌入させて当該上顎フレーム９を上下回動自在とする咬合器１が構成されている。
【０００９】
上記連結フレーム７と各支柱５、６の背面側との間には前傾状の支承面７ａ、７ａが斜設されており、凹溝８、８に嵌入した上顎フレーム９の回動軸１０を当該支承面７ａに沿って後方に移動可能とし、かつ後述する弾持部材１１、１１の付勢力により、回動軸１０を凹溝８、８内の基準定位置に押圧するようになっている。
【００１０】
上記上顎フレーム９の下面には、取付けベース１２が摘みネジ１３で着脱自在に螺装されており、取付けベース１２の下面に固定用石膏１４を介して石膏歯列模型２を固定し、該石膏歯列模型２を上顎フレーム９とともに上下動させることにより咬合調整を行うようになっている。
【００１１】
なお１５は上顎フレーム９の回動先端側を下顎フレーム４との間で支持するインサイザルガイドピン、１５ａは下顎フレーム４の先端に設けたインサイザルガイドピン１５の弾性受け板である。また１６は連結フレーム７の中央に螺設されて上顎フレーム９の下限位置を調整する調整ノブ、１７は上顎フレーム９の上面に埋設されたマンガンアルミ磁石であって、石膏歯列模型２を固定した取付けベース１２を上顎フレーム９に取付ける際には、図３に示すように、上顎フレーム９の上面をマンガンアルミ磁石１７を介して調整ノブ１６に磁着させることにより当該上顎フレーム９を確実に開放状態に固定することができ、不用意に上顎フレーム９が回動して機械的衝撃を生ずるようなことがなく、咬合器１の精度低下、破損を未然に防止することができる。
【００１２】
一方前記弾持部材１１、１１は、図４（ａ）に示すように、板バネ１８、１８の基端を止めネジ１９で各支柱５、６の側面にそれぞれ止着してなり、その先端に突設した当接体２０、２０を凹溝８、８内に進入させて、該凹溝８、８に嵌入する回動軸１０の両端部を押圧することにより、各支承面７ａ、７ａに沿う回動軸１０の後方への移動を当該弾持部材１１、１１の付勢力に抗して許すように構成されていると共に、上記回動軸１０の嵌入面２１ａを外周方向に凹設した調整ピン２１（図５（ａ）に図示）が、各支柱５、６の頂部から凹溝８、８を貫通して直交状に挿通されており、図４（ｂ）に示すように、上記調整ピン２１の頭部に設けたノブ２２を回動させて嵌入面２１ａを凹溝８に合致させた際には、当該嵌入面２１ａに進入する回動軸１０の前方への移動を可能にした構成となっている。
【００１３】
本発明は叙上の如く構成されているから、石膏歯列模型を用いた治療歯部位の加工、成形を行うに当って、まず下顎側の石膏歯列模型３を下顎フレーム４上に固定し、また予め固定用石膏１４に固定した上顎側の石膏歯列模型２を取付けベース１２を介して上顎フレーム９に固定する。次いで現状の上下石膏歯列模型２、３の咬合状態を確認した後、治療歯部位の石膏歯列部分に所要の切断、加工や修復物の被冠、義歯の形成等を施し、再度これを装着した治療歯部位を含む石膏歯列模型と対合する石膏歯列模型との咬合が最良状態となるように、治療歯部位における修正、加工を咬合器１を用いて適宜に繰り返し行なわれることになる。
【００１４】
このような咬合器１による咬合調整作業において、下顎フレーム４に対して上顎フレーム９を後方に相対移動させる場合には、作業者が上顎フレーム９全体を把持して上下回動させながら後方にずらすと、基準定位置の凹溝８、８内に保持されていた回動軸１０が弾持部材１１、１１の付勢力に抗して凹溝８内あるいはこれから離脱して支承面７ａ、７ａに沿う後方への移動が行われ、治療歯部位の修正、加工の確認および上下の咬合状態の観察がなされる。
【００１５】
また下顎フレーム４に対して上顎フレーム９を前方に相対移動させる必要が生じた場合は、弾持部材１１、１１の付勢力で基準定位置の凹溝８、８内に回動軸１０が保持された状態（図４（ａ））で、作業者が調整ピン２１のノブ２２を回動させて嵌入面２１ａが凹溝８に合致すると、上記弾性部材１１、１１に押圧されていた回動軸１０が嵌入面２１ａに進入し、上顎フレーム９が前方に相対移動することになる。
【００１６】
したがって、煩わしい石膏歯列模型の装脱作業を行うことなく、食物を咬む患者毎に微妙に異なる下顎の前後進運動を含む複雑な咬合運動に可及的に近似させた咬合調整を容易に行うことができ、咬合器を用いた歯冠修復物、義歯の加工形成のための矯正および観察を効率良くかつスムーズに続行することができる。
【００１７】
図５（ｂ）〜（ｅ）は調整ピン２１の他の実施例を示すものであって、同図（ｂ）および（ｃ）は嵌入面の形状を２１ｂ、２１ｃと変更して回動軸１０の前方への移動量を変化させる構成を示し、このような異なる嵌入面２１ａ〜２１ｃの調整ピン２１を複数用意することにより、極め細かな咬合調整を行うことができるようになる。また、同図（ｄ）は上記（ａ）〜（ｃ）の嵌入面２１ａ〜２１ｃを螺子構成でなる一本の調整ピン２１´に形成したものであって、この場合には調整ピン２１´を支柱５、６の頂部から螺入して螺進退の大小調整で各嵌入面を凹溝８に合致させることで、調整ピンの交換を要することなく回動軸１０の前方への移動量を広範囲に確保することができる。更に同図（ｅ）では上記（ｄ）の螺子構成の調整ピン２１´´にテーパ状の嵌入面部２１ｄを一体に形成し、螺進退の大小調整で無段階に回動軸１０の前方への移動量をより極め細かに調整することができるようになる。
【００１８】
また本実施例では板バネ１８、１８の基端を止めネジ１９で各支柱５、６の側面にそれぞれ止着し、その先端に突設した当接体２０、２０を凹溝８、８内に進入させて凹溝８、８に嵌入する回動軸１０の両端部を押圧する構成の弾持部材１１、１１を示したが、これに限定されることなく、図６および図７に示すように、コ字状に形成したホルダ２３、２３に押圧ピン２４、２４を進退自在に挿通して各ホルダ２３、２３を支承面７ａ、７ａ上に固定し、上記押圧ピン２４、２４の先端を圧縮コイル弾機２５、２５で回動軸１０に押し当てる構成、あるいは折返し状に曲成した板バネ２６、２６の基端を支承面７ａ、７ａ上に止着し、その先端に突設した当接体２７、２７を回動軸１０に押し当てる構成としてもよい。
【００１９】
【発明の効果】
これを要するに本発明は、下顎側の石膏歯列模型を着脱自在に装着する下顎フレームの後端に一対の支柱を離間対向状に立設し、かつ上顎側の石膏歯列模型を着脱自在に装着する上顎フレームの回動軸を、各支柱の背面側から後方に向けて斜設した支承面と、当該各支柱の側面部位に設けた凹溝との間で支持するように構成した咬合器において、上記回動軸を凹溝側に向けて押圧する弾持部材を各支柱毎にそれぞれ装着し、支承面に沿う回動軸の後方への移動を弾持部材の付勢力に抗して許すと共に、上記回動軸の嵌入面を外周方向に凹設した調整ピンを、支柱の頂部から前記凹溝を貫通して直交状に挿通し、上記調整ピンの嵌入面を凹溝に合致させた際に、これに進入する回動軸の前方への移動を可能としたから、上顎フレームを軸支する回動軸を下顎フレームに対して適宜に遊動可能とするものでありながら、上顎フレームを前方に移動する必要が生じた場合にも、上顎側の石膏歯列模型を前方にずらすような作業を要することなく、簡単かつ柔軟に上顎フレームの前方移動を行うことができ、作業者の負担を最小限に抑えて作業効率の向上と高い精度を維持することができると共に、煩わしい石膏歯列模型の装脱作業を行うことなく、食物を咬む患者毎に微妙に異なる下顎の前後進運動を含む複雑な咬合運動に可及的に近似させた咬合調整を容易に行うことができ、咬合器を用いた歯冠修復物、義歯の加工形成のための矯正および観察を効率良くかつスムーズに続行することができる、という極めて有用な新規的効果を奏するものである。
【図面の簡単な説明】
【図１】（ａ）は咬合器の全体側面図である。
（ｂ）は同上平面図である。
【図２】（ａ）は支柱を含む下顎フレームの側面図である。
（ｂ）は同上平面図である。
【図３】上顎フレームを全面開放した状態の咬合器を示す全体側面図である。
【図４】（ａ）は基準定位置にある回動軸と弾持部材の押圧状態を示す要部拡大一部断面図である。
（ｂ）は調整ピンの回動で凹溝と嵌入面が合致した状態を示す要部拡大一部断面図である。
【図５】（ａ）は調整ピンの全体側面図である。
（ｂ）は嵌入面を変更した調整ピンの全体側面図である。
（ｃ）は嵌入面を変更した調整ピンの全体側面図である。
（ｄ）は異なる嵌入面を複数凹設した調整ピンの全体側面図である。
（ｅ）は嵌入面をテーパ状に形成した調整ピンの全体側面図である。
【図６】（ａ）は他の構成の弾持部材を採用した咬合器の全体側面図である。
（ｂ）は同上平面図である。
【図７】（ａ）は他の構成の弾持部材を採用した咬合器の全体側面図である。
（ｂ）は同上平面図である。
【符号の説明】
１      咬合器
２      上石膏歯列模型
３      下石膏歯列模型
４      下顎フレーム
５      支柱
６      支柱
７ａ    支承面
８      凹溝
９      上顎フレーム
１０    回動軸
１１    弾持部材
２１    調整ピン
２１ａ  嵌入面
【図１】
0003829004.tif 000002
【図２】
0003829004.tif 000003
【図３】
0003829004.tif 000004
【図４】
0003829004.tif 000005
【図５】
0003829004.tif 000006
【図６】
0003829004.tif 000007
【図７】
0003829004.tif 000008